(57)【要約】【課題】外レールに対する保守作業を容易化した弾球遊技機を提供する。【解決手段】遊技盤１０の前面に、内レール２５および外レール２６，３５に囲まれて遊技球が転動可能な略円形の遊技領域ＰＡが区画されるとともに、扉ヒンジ機構６ａ，６ｂが設けられた左側縁に内外の案内レールに挟まれて発射通路が形成される。第１外レール３５はガラス扉５の後面側に取り付けられた枠フレーム３１に設けられ、ガラス扉５を遊技盤１０の前方を覆って閉鎖したときに、遊技盤１０の前面に発射通路が形成されるように弾球遊技機ＰＭを構成する。【選択図】図３
2008079759.tif 000002
【特許請求の範囲】
【請求項１】
遊技部品が取り付けられた遊技盤と、
前記遊技盤を立設姿勢で収容保持する前枠と、
前記前枠の側縁部に設けられたヒンジ機構を介して前方に横開き開閉可能に取り付けられ遊技状態において前記遊技盤の前方を覆って閉鎖保持されるガラス扉と、
前記遊技盤の下側に位置する前記前枠の下部領域に設けられた遊技球発射装置とを備え、
前記遊技盤の前面に、内レールおよび外レールに囲まれて遊技球が転動可能な略円形の遊技領域が区画されるとともに、前記ヒンジ機構が設けられた側縁側に前記内レールおよび下方に延設された前記外レールに挟まれて発射通路が設けられ、前記遊技球発射装置から発射された遊技球が当該発射通路を通って前記遊技領域に導かれるように構成された弾球遊技機において、
前記外レールにおける少なくとも前記ヒンジ機構が設けられた側縁側の一部が前記ガラス扉の後面側に設けられ、
前記ガラス扉を前記遊技盤の前方を覆って前記前枠の前面側に閉鎖したときに、前記遊技盤の前面に前記発射通路が形成されるように構成したことを特徴とする弾球遊技機。
【請求項２】
前記ガラス扉は、前記前枠の前側面域を覆う外郭方形で中央に前記遊技領域に合わせた窓口が形成され当該窓口を通して前記遊技領域を透視させるガラスが装着された窓枠と、前記窓枠の後面側に前記窓口の周囲を囲んで取り付けられた金属製の枠フレームとを備え、
前記外レールにおける少なくとも前記ヒンジ機構が設けられた側縁側の一部が、金属材料を用いて形成され前記枠フレームに設けられることを特徴とする請求項１に記載の弾球遊技機。
【請求項３】
前記枠フレームは、前記窓枠の後面に沿って取り付けられるベース部を有し、前記外レールが前記ベース部から曲げ起こされて、前記枠フレームに一体に形成されることを特徴とする請求項２に記載の弾球遊技機。
【請求項４】
前記ベース部が前記窓口の周囲を囲んで前記窓枠の略後面全体を覆うように構成したことを特徴とする請求項３に記載の弾球遊技機。
【発明の詳細な説明】
【技術分野】
【０００１】
本発明は、遊技盤の前面を覆って前枠に開閉自在に設けられるガラス扉を有し遊技盤の下方に位置する前枠の下部領域に設けられた遊技球発射装置から遊技盤に遊技球を打ち出して遊技を行う弾球遊技機に関する。
【背景技術】
【０００２】
パチンコ機に代表される弾球遊技機は、多数の遊技釘とともに固定入賞具や可動入賞具等の遊技部品が取り付けられた遊技盤が前枠の上部に着脱可能に収容保持され、その前側にガラス扉が開閉自在に前枠取り付けられて遊技状態において遊技盤の前方を覆って閉鎖保持される。前記遊技盤の前面には、互いに対向して設けられた円弧状の内レール及び外レールに囲まれて遊技球が転動可能な略円形の遊技領域が区画され、下方に延設された外レールおよび内レールに挟まれた発射通路を通って遊技球発射装置から発射された遊技球が遊技領域に導かれるように構成される。
【０００３】
ここで、これらの内レール及び外レール（両者をまとめて案内レールとも称される）は、従来では、ともに帯板状の金属薄板に釘を係着した内レール部材及び外レール部材を遊技盤の板面に打ち込んで固定配設する方法が古くから用いられていた。また近年では、内外レールの外側に位置して遊技盤に取り付けられる樹脂成型品のレール飾りを利用し、このレール飾りの内周面に内レール、外レールを形成したものが実用化されている。さらに、内レールの一部をガラス扉側に形成し、ガラス扉を閉鎖したときに円弧状の遊技領域が形成されるように構成した弾球遊技機が提案されている（例えば特許文献１を参照）。
【０００４】
【特許文献１】特開平１１−１４６９６１号公報（第４−７頁、第４，５図）
【発明の開示】
【発明が解決しようとする課題】
【０００５】
従来の弾球遊技機は、発射通路の通路面を形成する外レールが、いずれも遊技盤（若しくは前枠）におけるヒンジ機構が設けられた側の側縁部に設けられており、略円形の遊技領域を形成するため当該側縁方向に張り出された領域については、ガラス扉を開放しても作業スペースが狭小であり、かつ保守作業を行う作業者にとって手前に位置する内レール阻まれて外レールの内向き面（発射通路のレール面）の清掃作業を行い難いという課題があった。
【０００６】
また近年では、遊技盤の中央に設けられる液晶表示装置の大型化に代表されるように、遊技盤に取り付けられる遊技部品が多種多様化し、これに伴って遊技盤及び遊技領域が上下方向のみならず左右方向にも拡大される傾向が顕著になっている。また遊技盤の前面を覆って横開き開閉可能に取り付けられるガラス扉において、LEDやランプ等の各種の電飾部品やステレオ音声を再生するためのスピーカが装着されるなどにより、前後方向の厚さが増大しており、ガラス扉を開放したときに、隣接する遊技機側に張り出す張り出し寸法を抑制するため、ヒンジ機構の回転軸を遊技機の左側縁から内側に寄せて配設する傾向が強くなっている。
【０００７】
この結果、ガラス扉を開放したときに、ヒンジ機構側の側縁においてガラス扉が遊技盤面の前方に重なって側部領域を覆い、この重複領域に位置する内外レールの保守作業が難しくなり、特に、内外レール間に挟まれた発射通路のレール面（外レールの内向き面）の清掃作業を行うことが困難であるという課題が指摘されていた。
【０００８】
本発明はこのような課題に鑑みてなされたものであり、外レールに対する保守作業を容易化した弾球遊技機を提供することを目的とする。
【課題を解決するための手段】
【０００９】
上記目的達成のため、本発明は、遊技部品が取り付けられた遊技盤と、この遊技盤を立設姿勢で収容保持する前枠と、前枠の側縁部に設けられたヒンジ機構を介して前方に横開き開閉可能に取り付けられ遊技状態において遊技盤の前方を覆って閉鎖保持されるガラス扉と、遊技盤の下側に位置する前枠の下部領域に設けられた遊技球発射装置とを備えて弾球遊技機が構成される。遊技盤の前面には、内レールおよび外レールに囲まれて遊技球が転動可能な略円形の遊技領域が区画されるとともに、ヒンジ機構が設けられた側縁側に内レールおよび下方に延設された外レールに挟まれて発射通路が設けられ、遊技球発射装置から発射された遊技球が当該発射通路を通って遊技領域に導かれる。このような構成の弾球遊技機において、外レールにおける少なくともヒンジ機構が設けられた側縁側の一部（例えば、実施形態における第１外レール３５の少なくとも扉ヒンジ機構側の一部）がガラス扉の後面側に設けられ、ガラス扉を遊技盤の前方を覆って前枠の前面側に閉鎖したときに、遊技盤の前面に発射通路が形成されるように構成される。
【００１０】
上記発明において、ガラス扉は、前枠の前側面域を覆う外郭方形で中央に遊技領域に合わせた窓口が形成され当該窓口を通して遊技領域を透視させるガラスが装着された窓枠と、この窓枠の後面側に窓口の周囲を囲んで取り付けられた金属製の枠フレームとを備え、外レールにおける少なくともヒンジ機構が設けられた側縁側の一部が、金属材料を用いて形成され枠フレームに設けられるように構成する。
【００１１】
この場合において、枠フレームは、窓枠の後面に沿って取り付けられるベース部を有し、外レールがベース部から曲げ起こされて、枠フレームに一体に形成されることが好ましい。
【００１２】
また、ベース部が窓口の周囲を囲んで窓枠の略後面全体を覆うように構成することが望ましい。
【発明の効果】
【００１３】
本発明によれば、外レールにおける少なくともヒンジ機構が設けられた側縁側の一部がガラス扉の後面側に設けられてガラス扉を閉鎖したときに発射通路が形成されるように構成される。ここで、ヒンジ機構が設けられた側縁側の一部とは、ヒンジの回転軸に近接して配設される領域をいい、例えばガラス扉を開放したときにガラス扉が前方に位置して重なるような場合における重複領域をいう。本発明によれば、外レールにおける少なくとも当該領域がガラス扉の後面側に設けられているため、ガラス扉を開放したときに当該領域がガラス扉とともに前方に展開される。ガラス扉を９０度程度開放した開放姿勢においては、発射通路のレール面（外レールの内向き面）が遊技盤面と同様に前向きに配設され、保守作業を行う作業者は発射通路のレール面の清掃作業を容易に行うことができる。なお、外レール全体をガラス扉の後面側に設けても良いことは言うまでもない。
【００１４】
本発明において、上記「外レールにおける少なくともヒンジ機構が設けられた側縁側の一部」が、金属材料を用いて形成されるとともに、窓枠の後面側に取り付けられた金属製の枠フレームに設けられる構成によれば、金属製の外レールが、ネジ止め、溶着、一体成型等により枠フレームに設けられることにより、レールの変形を抑制することができるとともに、枠フレームに接続されたアース線を介して外レールが地落されるため、従来、外レールの帯電防止のために設けていた専用のアース線を廃止することができる。
【００１５】
なお、外レールが枠フレームのベース部から曲げ起こされて枠フレームに一体に形成される構成によれば、外レール部材が枠フレームに曲げ起こされて形成されることにより、外レールの強度が向上されるのみならず、枠フレームの曲げ剛性やねじり剛性をも向上させることができる。また、外レールと枠フレームとをプレス成型による工程で一括して形成することができるため、部品点数及び外レールの取り付け工数等を削減して生産コストを低減することができる。
【００１６】
また、枠フレームのベース部が窓口の周囲を囲んで窓枠の略後面全体を覆うように構成すれば、一般に樹脂成型品である窓枠に対して携帯用はんだごてを用いて孔をあけ、ここから針金等を侵入させて入賞具を作動させるような不正行為を、簡明な構成で確実に防止することができる。
【発明を実施するための最良の形態】
【００１７】
以下、図面を参照して本発明の好ましい実施形態について説明する。本発明を適用した弾球遊技機の一例として、パチンコ機ＰＭの外観斜視図を図１に示し、このパチンコ機ＰＭにおける遊技球の発射経路の概要図（透視正面図）を図２に示しており、まず、これらの図面を参照してパチンコ機ＰＭの全体構成について要約説明する。なお、説明の便宜上、パチンコ機ＰＭの正面視における上下左右をもって上下または左右と称し、パチンコ機の前面側を前方、裏面側を後方と称して説明する。
【００１８】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１９】
前枠２の前面側では、前側面域に合わせた方形状のガラス扉５が、互いの左側縁上下に設けられた扉ヒンジ機構６ａ，６ｂを介して前方に横開き開閉及び着脱が可能に取り付けられ、常には施錠装置４を利用して閉鎖状態に保持される。ガラス扉５の下側には、遊技球を貯留する上球皿７が設けられた上球皿ユニット７Ｕが横開き開閉および着脱可能に組付けられるとともに、上球皿ユニット７Ｕの下側に位置して余剰球を貯留する下球皿８及び遊技球の発射操作を行う発射ハンドル９が設けられた下球皿ユニット８Ｕが着脱可能に組付けられている。
【００２０】
前枠２の上部には、所定のゲージ設定で構成された遊技盤１０を前枠２の後方から着脱可能に収容保持する収容枠２ａが前枠２と一体に形成されており、この収容枠２ａに立設姿勢で収容された遊技盤１０が、詳細図示省略する遊技盤クランプを利用して係止保持される。遊技盤１０の詳細説明は省略するが、積層合板の表面にセルを貼り付けてルーター加工した化粧板を基板とし、前面側に多数本の遊技釘とともに、遊技球が落入可能な各種の入賞装置、遊技の展開状況に応じた図柄を表示する図柄表示装置を備えた中央飾りなどが取り付けられ、下端部には化粧板を前後に貫通するアウト口１１が開口形成されている。
【００２１】
遊技盤１０の前面には、上向きに開く円弧状の内レール２５及び第２外レール２６と、この内レール２５及び第２外レール２６の上方を覆い下向きに開く円弧状の第１外レール３５とに囲まれて遊技球が転動可能な略円形の遊技領域ＰＡが形成され、第１外レール３５の左辺が内レール２５に沿って下方に延設されて内外レール間に発射通路１５が形成される。遊技盤１０は、遊技状態において閉鎖保持されるガラス扉５のガラス窓を通して遊技領域ＰＡを臨ませるようになっている。なお、内外レールの構成については後に詳述する。
【００２２】
遊技盤１０の下側に位置する前枠２の下部領域には、上球皿ユニット７Ｕ，８Ｕの背後に位置して遊技補助盤と称される補助機構部１４が設けられており、ここに遊技球を遊技盤１０の盤面に沿って左斜め上方に発射する遊技球発射装置１２や、遊技領域に到達できずに戻ってきた遊技球を下球皿８に流下させるファール球処理構造などが設けられている。遊技球発射装置１２は、例えばロータリソレノイドにより揺動駆動されるハンマ１２ａを有して構成され、球受け部１２ｂにセットされた遊技球をハンマにより叩打して第１外レールのレール面に着座させ、発射通路１５を通して遊技領域ＰＡに打ち出すように構成される。遊技球発射装置１２の前方を覆って取り付けられる上球皿ユニット７Ｕの背面には、遊技球発射装置１２の作動と同期して、上球皿７に貯留された遊技球を１球ずつ球受け部１２ｂに供給する球送りカセット（不図示）が設けられている。
【００２３】
前枠２の裏面側には、裏セット盤と称される機構セット盤が取り付けられており、ここに、球貯留タンクや球払出装置などの賞球の払出機構、遊技盤１０から排出されたセーフ球やアウト球等の遊技済み球を遊技施設の回収装置に導く遊技済み球排出機構などの球処理機構が設けられるとともに、裏セット盤の後面各部に、パチンコ機ＰＭの作動を制御するための種々の制御装置が取り付けられ、これらがコネクタケーブルで接続されてパチンコ機ＰＭが作動可能に構成される。
【００２４】
パチンコ機ＰＭは、上球皿７およびガラス扉５が閉止施錠された状態で遊技に供され、上球皿７に遊技球を貯留させて発射ハンドル９を操作することで遊技が開始される。発射ハンドル９において発射操作が行われると、上球皿７に貯留された遊技球が１球ずつ遊技球発射装置１２の球受け部１２ｂに送り出され、ハンマー１２ａにより発射通路１５を通って遊技領域ＰＡに打ち出されてパチンコゲームが展開される。
【００２５】
以上のように概要構成されるパチンコ機ＰＭにあって、内レール２５が遊技盤１０に設けられ、第２外レール２６が前枠２に設けられ、第１外レール３５がガラス扉５の後面側に設けられている。以下、図３及び図４を併せて参照しながら、これらのレール構造について説明する。ここで、図３はガラス扉５を９５度展開して開放した状態におけるパチンコ機ＰＭの斜め前方からの斜視図、図４は同様の状態におけるパチンコ機ＰＭの正面図である。
【００２６】
内レール２５は、樹脂成形された内レール部材が遊技盤１０（化粧板）の前面にネジ固定されて設けられ、あるいは帯板状の金属薄板に釘を係着した内レール部材が遊技盤１０の前面に打ち込み固定されて設けられる。第２外レール２６は、前述した収容枠２ａの前面側に形成されている。収容枠２ａは、全体として遊技盤１０の外形寸法よりも幾分大きめの額縁状をなし、遊技盤１０の上下左右の端面を囲む枠部２１と、遊技盤１０の前面縁部を当接支持する前面支持部２２とを主体として構成される。前面支持部２２は、正面右側の上部及び下部が略円形の遊技領域ＰＡに合わせて遊技盤の前面に沿って左方に張り出されるとともに、遊技盤１０の当接支持面から遊技領域ＰＡの厚さに合わせて前方に膨出され、右上部の返しゴム２３からアウト口１１近傍部にかけて正面左方向に開く円弧状の第２外レール２６が形成され、アウト口１１近傍部から左上部の球戻り規制片２４（図１を参照）に繋がる円弧状の内レール２５と滑らかに繋がるようになっている。
【００２７】
一方、第１外レール３５が設けられるガラス扉５は、中央に遊技領域ＰＡに合わせた略円形の窓口３１ｗが形成されこのガラス扉５の表面装飾枠となる窓枠３１と、窓枠３１の後面側に窓口３１ｗを塞いで設けられたガラス窓（不図示）と、窓枠３１の後面側に取り付けられた枠フレーム３３とを有して構成される。
【００２８】
窓枠３１は、外形形状が前枠２の前側面域を覆う外郭方形状で中央に遊技領域ＰＡに合わせた略円形の窓口３１ｗが形成されており、例えばＡＢＳ樹脂などの樹脂材料を用い射出成型等の成形手段により一体に形成される。窓枠３１の各部には、遊技展開に応じた効果音を発するスピーカや、LED、ランプ等の電飾部品が装備されている。
【００２９】
ガラス窓は、いわゆる磁石ゴトと称される不正行為を防止するため、２枚のガラス板を前後に所定間隔をおいて一体化した二層化ガラスユニットが用いられ、窓枠３１の背面側に着脱可能に取り付けられて窓口３１ｗを塞ぐ一方、ガラス窓を通して遊技盤前面の遊技領域ＰＡを視認可能になっている。
【００３０】
枠フレーム３３は、窓口３１ｗの周囲を囲んで窓枠３１の後面側に取り付けられる。枠フレーム３３は、窓枠３１の形状寸法に合わせた方形状で、中央に略円形の窓口開口３３ｗが形成されたベース部３４を基板とし、例えば板厚1.0〜1.6mm程度の鋼鈑をプレス成形し必要に応じて所用の表面処理を施して形成される。窓口開口３３ｗは、全体的として窓口３１ｗの開口面域に合わせた略円形に形成される一方、扉ヒンジ機構６ａ，６ｂが設けられた正面左側から下方にかけて窓口３１ｗよりも外側に広がり、発射通路１５の設定位置形状に合わせて下方に延びている。そして、正面視における上部から左下方にかけての窓口開口３３ｗの縁部がベース部３４から遊技領域ＰＡの厚さに合わせた立設高さで後方に直角に曲げ起こされて第１外レール３５が形成されている。
【００３１】
窓枠３１の後面には、図３中のV〜矢視断面図を図５に示すように、円環状の支持面を有する段付き軸状の位置決めピン３６が３箇所後方に突出して形成され、枠フレームのベース部３４には、これら３箇所の位置決めピン３６と位置整合して位置決め孔３７ａ，３７ｂ，３７ｃが穿設されている。このうち第１外レール３５の基端部に近接して設けられた位置決め孔３７ａは位置決めピン３６と嵌合する円孔とされ、下部の位置決め孔３７ｂは上下方向の幅が位置決めピン３６と嵌合する溝幅で左右方向に長い長孔とされ、上部の位置決め孔３７ｃは左右方向の幅が位置決めピンと嵌合する溝幅で上下方向に長い長孔とされている。このため、これら３箇所の位置決めピン３６，３６，３６に位置決め孔３７ａ，３７ｂ，３７ｃを嵌合させてベース部３４の前面を円環状の支持面に当接支持させることで、窓枠３１と枠フレーム３３との相対位置が位置決めされる。
【００３２】
また窓枠３１の後面には、図３中のVI−VI矢視断面図を図６に示すように、円筒状のネジボス３８が４箇所以上後方に突出成型されている。ネジボス３８の突出高さは位置決めピン３６の支持面と同一高さとされて円環状の支持面が形成され、軸心にネジ受容孔が形成されている。枠フレームのベース部３４には、ネジボス３８と位置整合してネジ挿通孔が穿設されており、上記のようにして枠フレーム３３が位置決めされたときに、ベース部３４の前面がネジボス３８の支持面においても当接支持され、前後に位置あわせされたネジボス３８にネジ挿通孔を通してネジ３９を螺合締結することで、枠フレーム３３が窓枠３１に固定される。こうして枠フレーム３３が窓枠３１に固定されると、ベース部３４が窓枠３１の後面に沿って窓枠全体を覆うように配設される。
【００３３】
詳細図示を省略するが、扉ヒンジ機構６ａ，６ｂにおけるガラス扉側のヒンジ構造（扉側ヒンジ構造）が枠フレーム３３の左側縁の上下に設けられており、これら上下の扉側ヒンジ構造を前枠側のヒンジ構造（枠側ヒンジ構造）に係合連結することで、ガラス扉５が前枠２の前面上部に横開き開閉可能に取り付けられるとともに、枠側ヒンジ構造を介してアース接続される。また、このように、扉側ヒンジ構造を枠フレーム３３に形成することによって、第１外レール３５が直接前枠２に位置決めされ、位置決めピン等により前枠２に位置決めされる遊技盤１０と、前枠２を介して相対位置が規定される。
【００３４】
ガラス扉５を前枠２に閉鎖すると、ガラス扉５が遊技盤１０の前面を覆って配設され、図２に示したように、第１外レール３５が内レール２５に沿ってその外側に配設される。第１外レール３５は、後端面（遊技盤側の端面）が遊技盤１０の表面からわずかに（例えば0.5〜１mm程度）離れた状態で配設され、内外のレール２５，３５に挟まれて、遊技盤１０の前面左側に発射通路１５が形成される。このため発射操作に基づいて遊技球発射装置１２から打ち出された遊技球は、第１外レール３５の内向き面（発射通路１５のレール面）に着座してレール面に沿って案内され、発射通路１５を通って遊技領域ＰＡに導かれる。
【００３５】
ガラス扉５を前方に開放すると、内レール２５が遊技盤１０の前面側に位置したまま、第１外レール３５がガラス扉５とともに前方に展開される。ガラス扉を９５度展開した開放姿勢では、図３及び図４に示すように、発射通路１５のレール面（第１外レール３５の内向き面）がパチンコ機ＰＭの前方に開いて配設される。従って、作業者は何らの障害もなく楽な作業姿勢でレール面の清掃作業を容易に行うことができる。
【００３６】
また、第１外レール３５が枠フレーム３３から曲げ起こされて形成されるため、第１外レール自身が外力による変形を受けにくく、枠フレーム３３の曲げ剛性やねじり剛性をも向上させることができることに加え、プレス成型により低廉に構成することができる。また、金属製のベース部３４が窓口３１ｗの周囲を囲んで窓枠３１の略後面全体を覆うように配設されるため、窓枠３１に携帯用はんだごてで孔をあけ針金やピアノ線等を侵入させるような不正行為を確実に防止することができる。
【００３７】
さらに、ガラス扉５を閉鎖した遊技状態では、ガラス扉５から後方の遊技盤１０に向けて突出する第１外レール３５と、遊技盤１０から前方のガラス扉５に向けて突出する内レール２５とが、側面視において前後に互い違いの位置関係で配設されることから、パチンコ機ＰＭの側方からガラス窓に沿ってセルやピアノ線等を侵入させるような不正行為に対する抗力を向上することができる。また、枠フレーム３３の下部は、図５に示すように下方に延設されるとともに、下端部が前方に屈曲されて上球皿ユニット７Ｕの後方に位置するように形成されており、ガラス扉５と球皿ユニット７Ｕとの間からセルやピアノ線等を遊技盤１０に侵入させるような不正行為を抑止可能な構成としている。
【００３８】
なお、プレス加工による一体成型の効果は得られないが、図７に示すように、枠フレーム４３と第１外レール４５とを別体に構成し、溶接やネジ止め等の固定手段により枠フレームに設けるように構成しても良い。また、実施例では、第１外レール３５の全体をガラス扉側に設けた構成を示したが、ガラス扉５の開放時にガラス扉側の部材と重複する第１外レールの一部領域をガラス扉５の後面に設ける構成としても良く、第１外レール３５とともに内レール２５の一部（例えば扉ヒンジ機構６ａ，６ｂが設けられた左半分の領域）をガラス扉に設けて構成しても良い。さらに、以上の実施形態では、本発明をパチンコ機に適用した場合について説明したが、アレンジボール機や雀球遊技機等の他の形態の弾球遊技機にも同様に適用し、同様の効果を得ることができる。
【図面の簡単な説明】
【００３９】
【図１】本発明を適用した弾球遊技機の一例として示すパチンコ機の外観斜視図である。
【図２】上記パチンコ機における遊技球の発射経路を示す概要図（透視正面図）である。
【図３】ガラス扉を９５度展開して開放した状態における上記パチンコ機の斜め前方からの斜視図である。
【図４】図４は図３と同様の状態におけるパチンコ機の正面図である。
【図５】図３中のV〜矢視断面図である。
【図６】図３中のVI−VI矢視断面図である。
【図７】本発明における第２実施形態の枠フレームを略示する斜視図である。
【符号の説明】
【００４０】
ＰＭ  パチンコ機
ＰＡ  遊技領域
２  前枠
５  ガラス扉
６ａ，６ｂ  扉ヒンジ機構（ヒンジ機構）
１０  遊技盤
１２  遊技球発射装置
１５  発射通路
２５  内レール
２６  第２外レール
３１  窓枠（３１ｗ  窓口）
３３  枠フレーム
３４  ベース部
３５  第１外レール
【図１】
2008079759.tif 000003
【図２】
2008079759.tif 000004
【図３】
2008079759.tif 000005
【図４】
2008079759.tif 000006
【図５】
2008079759.tif 000007
【図６】
2008079759.tif 000008
【図７】
2008079759.tif 000009